(57)【要約】【課題】  使用者に対してより効果的に癒しを与えることが可能なスマートフォン用保護シートを提供する。【解決手段】  スマートフォン１００を保護するために貼り付けられる保護シートであり、シート状で、表面２１に装飾画が描かれ、裏面２２に接着剤が布設された描画層２と、透明で弾性を有し、描画層２の表面２１を覆い、香料が含浸されて香りを放す弾性層３と、を備える。【選択図】  図１
2016028869.tif 000002
【特許請求の範囲】
【請求項１】
スマートフォンを保護するために貼り付けられるスマートフォン用保護シートであり、
シート状で、表面に装飾画が描かれ、裏面に接着剤が布設された描画層と、
透明で弾性を有し、前記描画層の表面を覆い、香料が含浸されて香りを放す弾性層と、
を備えることを特徴とするスマートフォン用保護シート。
【請求項２】
前記装飾画と前記香料とは、相互に連想させる関係を有する、
ことを特徴とする請求項１に記載のスマートフォン用保護シート。
【発明の詳細な説明】
【技術分野】
【０００１】
この発明は、スマートフォン（多機能携帯電話）を保護するために貼り付けられるスマートフォン用保護シートに関する。
【背景技術】
【０００２】
スマートフォンが傷ついたり汚れたりするのを防止するために、スマートフォンに保護カバーを取り付けたり、保護シールを貼り付けたりすることが広く行われている。また、保護性に加えて、デザイン性・装飾性が施された装飾用シールが知られている（例えば、特許文献１参照。）。この装飾用シールは、携帯端末の表面形状に合わせた外形のデザインシートの表面に、保護シートを積層して構成され、デザインシートは、表面をプリンタの印刷面とし、接着層を裏面に設けた紙製シートであり、保護シートは、透明な凹凸接着層を裏面に設けた透明な樹脂製シートとなっている。
【先行技術文献】
【特許文献】
【０００３】
【特許文献１】特開２０１３−１２１７０１号公報
【発明の概要】
【発明が解決しようとする課題】
【０００４】
ところで、スマートフォンは、日常頻繁に使用され、かつ、長時間使用されるものであり、しかも、使用者のなかには、スマートフォンに常に接している者も少なくない。このため、スマートフォンを使用続けることによる疲労感や負担感などが生じおそれがある。一方、特許文献１に記載の装飾用シールでは、デザイン・装飾が施されているため、使用者に対して視覚による癒しを与える効果があり得る。しかしながら、視覚による癒し効果のみでは、使用による疲労感や負担感などを軽減、抑制することはできない。
【０００５】
そこでこの発明は、使用者に対してより効果的に癒しを与えることが可能なスマートフォン用保護シートを提供することを目的とする。
【課題を解決するための手段】
【０００６】
上記課題を解決するために、請求項１の発明は、スマートフォンを保護するために貼り付けられるスマートフォン用保護シートであり、シート状で、表面に装飾画が描かれ、裏面に接着剤が布設された描画層と、透明で弾性を有し、前記描画層の表面を覆い、香料が含浸されて香りを放す弾性層と、を備えることを特徴とする。
【０００７】
この発明によれば、使用者などは、透明な弾性層を介して描画層の装飾画が見えるとともに、弾性層から放される香りを嗅げる。
【０００８】
請求項２の発明は、請求項１に記載のスマートフォン用保護シートにおいて、前記装飾画と前記香料とは、相互に連想させる関係を有する、ことを特徴とする。
【０００９】
この発明によれば、例えば、装飾画がチョコレートの画で、香料がチョコレートの香り、というように、装飾画と香料による香りとが、相互に連想させる関係となっている。
【発明の効果】
【００１０】
請求項１の発明によれば、装飾画によって、視覚による癒しを与えることができるとともに、香りによって、嗅覚による癒しを与えることができる。このようにして、使用者に対してより効果的に癒しを与えることができるため、スマートフォンの使用による疲労感や負担感などを軽減、抑制することが可能となる。
【００１１】
請求項２の発明によれば、装飾画と香料とが、相互に連想させる関係となっているため、視覚による癒し効果と嗅覚による癒し効果との相乗効果が発揮され、使用者などに対してさらに効果的に癒しを与えることができる。
【図面の簡単な説明】
【００１２】
【図１】この発明の実施の形態１に係るスマートフォン用保護シートを示す正面図である。
【図２】図１のスマートフォン用保護シートが貼り付けられるスマートフォンの正面図（ａ）と背面図（ｂ）である。
【図３】図１のスマートフォン用保護シートの積層構造を示す断面図である。
【図４】図１のスマートフォン用保護シートをスマートフォンに貼り付けた状態を示す側面図である。
【図５】この発明の実施の形態２に係るスマートフォン用保護シートユニットの保護パッドを示す正面図である。
【図６】図５の保護パッドでスマートフォンを仮固定した状態を示す正面図である。
【発明を実施するための形態】
【００１３】
以下、この発明を図示の実施の形態に基づいて説明する。
【００１４】
（実施の形態１）
図１から図４は、この実施の形態を示し、図１は、この実施の形態に係るスマートフォン用保護シート１を示す正面図である。このスマートフォン用保護シート１は、スマートフォン１００を保護するためにスマートフォン１００に貼り付けられる保護シート・シールであり、この実施の形態では、３つの保護シート１１〜１３を備えている。
【００１５】
ここで、第１の保護シート１１は、図２に示すスマートフォン１００の裏面１０１を、第１の機能部１０２を除いて覆うシートである。第２の保護シート１２は、スマートフォン１００の表示部１０３の上側に位置する表面上部１０４を、第２の機能部１０５を除いて覆うシートである。第３の保護シート１３は、スマートフォン１００の表示部１０３の下側に位置する表面下部１０６を、第３の機能部１０７を含めて別個に覆うシートである。これらの保護シート１１〜１３は、同等の構成であるため、主として第１の保護シート１１について以下に説明する。
【００１６】
第１の保護シート１１は、図３に示すように、描画層２と弾性層３とを備えている。
【００１７】
描画層２は、シート状で、表面２１に装飾画が描かれ、裏面２２に接着剤が布設・塗布された層・シールである。具体的に装飾画として、この実施の形態では、チョコレートの画が描かれている。
【００１８】
弾性層３は、透明で弾性を有し、描画層２の表面を覆い、香料が含浸されて香りを放す層である。すなわち、透明なウレタンで構成されて弾性を有し、描画層２の表面全体を覆うように積層され、かつ、香料（フレグランス）が含浸されて香りを外に放すようになっている。このような弾性層３は、香料が含浸された液状のウレタンを描画層２の表面２１に注ぎ、その後、ウレタンを固化させて形成されている。
【００１９】
また、装飾画と香料による香りとは、相互に連想させる関係を有するようになっている。この実施の形態では、装飾画としてチョコレートの画が描かれているため、香料がチョコレートの香りとなっている。すなわち、チョコレートの画によってチョコレートの香りを連想し、チョコレートの香りによってチョコレートの画を連想するようになっている。この他、装飾画がバラの画で、香料がバラの香りであったり、装飾画がハワイの風景画で、香料がココナッツの香りであったりしてもよい。また、香料・香りには、アロマも含まれ、さらに、ユーカリの香りのように虫などを寄せ付けない効果を有する香料・香りも含まれる。
【００２０】
ここで、弾性層３がウレタンで構成され、ウレタンは、表面が円滑な金属や樹脂、セラミックなどに仮接合（吸着）可能なため、弾性層３は、冷蔵庫のドアやキッチンのタイル壁などに仮接合可能で、しかも、剥離自在となっている。あるいは、弾性層３に充電器などをくっ付けることも可能となっている。
【００２１】
このスマートフォン用保護シート１をスマートフォン１００に貼り付けるには、図４に示すように、例えば、第１の保護シート１１の描画層２の裏面（接着面）２２をスマートフォン１００の裏面１０１に接着して貼り付ければよい。そして、スマートフォン用保護シート１を貼り付けると、使用者や第三者は、透明な弾性層３を介して描画層２の装飾画が見えるとともに、弾性層３から放される香りを嗅げる。
【００２２】
以上のように、このスマートフォン用保護シート１によれば、装飾画によって、視覚による癒しを与えることができるとともに、香りによって、嗅覚による癒しを与えることができる。このようにして、使用者に対してより効果的に癒しを与えることができるため、スマートフォン１００の使用による疲労感や負担感などを軽減、抑制することが可能となる。同様に、第三者に対しても、視覚と嗅覚による癒しを与えることができる。
【００２３】
しかも、装飾画と香料とが、相互に連想させる関係となっているため、視覚による癒し効果と嗅覚による癒し効果との相乗効果が発揮され、使用者や第三者に対して、さらに効果的に癒しを与えることができる。
【００２４】
一方、弾性層３が、冷蔵庫のドアやキッチンのタイル壁などに接離自在なため、弾性層３を介してスマートフォン１００を冷蔵庫のドアなどにくっ付ける（仮固定する）ことができる。このため、スマートフォン１００を手で持つ必要がなくなり、両手を料理などの作業に使用することができ、使い勝手が向上する。
【００２５】
（実施の形態２）
図５および図６は、この実施の形態を示す。この実施の形態では、保護パッド４を備える点で実施の形態１と構成が異なり、実施の形態１と同等の構成については、同一符号を付することで、その説明を省略する。
【００２６】
すなわち、この実施の形態では、スマートフォン用保護シート１と保護パッド４とで、スマートフォン用保護シートユニットを構成している。この保護パッド４は、スマートフォン用保護シート１と同様に、描画層２と弾性層３とが積層されて構成されている。
【００２７】
ここで、描画層２の表面２１には、広告である社名（図では「ＡＢＣ社」）４１が装飾画として描かれている。また、弾性層３には、スマートフォン用保護シート１の香料と同じ香料（例えば、チョコレートの香り）が含浸されている。
【００２８】
そして、保護パッド４の弾性層３とスマートフォン用保護シート１の弾性層３が、ともに吸着性（接合性）を有するウレタンで構成されているため、保護パッド４とスマートフォン用保護シート１とが強固・良好に吸着（仮接合）する。つまり、スマートフォン用保護シート１が貼り付けられたスマートフォン１００が、保護パッド４から落下せずに強固に仮固定される。また、このような保護パッド４の外形は、円形で、どの方向・向きからでもスマートフォン用保護シート１をくっ付ける（仮固定する）ことができるようになっている。
【００２９】
このようなスマートフォン用保護シートユニットを使用する場合、まず、保護パッド４をキッチンのタイル壁や風呂場のタイル壁などの所望の場所（仮固定する対象）に取り付ける。この際、保護パッド４の描画層２の裏面（接着面）２２を所望の場所に接着して貼り付ける。また、複数の場所に保護パッド４を取り付けてもよい。このようにして保護パッド４を配設した状態では、描画層２の表面２１に描かれた社名４１が、それを見る者に広告として機能する。
【００３０】
そして、スマートフォン１００をキッチンのタイル壁などに仮固定したい場合には、スマートフォン用保護シート１を保護パッド４に仮接合させる。すなわち、第１の保護シート１１の弾性層３と保護パッド４の弾性層３とを重ね合わせて仮接合させ、スマートフォン１００を保護パッド４に仮固定する（くっ付ける。）。また、スマートフォン１００をキッチンのタイル壁などから外したい場合には、第１の保護シート１１を保護パッド４から引き離せばよい。
【００３１】
このように、この実施の形態によれば、予め、保護パッド４をキッチンのタイル壁などに貼り付け、スマートフォン１００をキッチンのタイル壁などに仮固定したい場合には、スマートフォン用保護シート１の弾性層３と保護パッド４の弾性層３とを重ね合わせるだけで、スマートフォン１００を強固に（振動や外力などに対してスマートフォン１００を容易に落下させることなく）仮固定することできる。
【００３２】
このため、スマートフォン１００を手で持つ必要がなくなり、両手を料理などの作業に使用することができ、使い勝手が向上する。一方、仮固定しない通常時は、スマートフォン用保護シート１によってスマートフォン１００が保護され、スマートフォン１００が傷ついたり汚れたりするのを防止、抑制することができる。
【００３３】
また、保護パッド４の装飾画として広告である社名４１が描かれているため、スマートフォン１００を仮固定しない通常時においては、保護パッド４が広告として機能し、販売促進などを行うことが可能となる。さらに、保護パッド４の弾性層３からも香り（例えば、チョコレートの香り）が放されるため、スマートフォン１００がない場所でも周囲の者に癒しを与えることができる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、すべての保護シート１１〜１３の弾性層３に香料が含浸されているが、面積が大きく含浸量が多い第１の保護シート１１の弾性層３のみに含浸してもよい。
【００３５】
また、上記の実施の形態２では、保護パッド４の描画層２に広告である社名４１が装飾画として描かれているが、スマートフォン用保護シート１の装飾画と同系統の装飾画（例えば、チョコレートの画）を描いてもよい。また、装飾画として公共的な広告を描いて注意喚起などをするようにしてもよい。さらに、保護パッド４の弾性層３には、スマートフォン用保護シート１の香料と同じ香料が含浸されているが、異なる香料を含浸してもよいし、香料を含浸しなくてもよい。
【符号の説明】
【００３６】
１          スマートフォン用保護シート
１１〜１３  保護シート
２          描画層
２１        表面
２２        裏面
３          弾性層
４          保護パッド
４１        社名（広告）
１００      スマートフォン
【図１】
2016028869.tif 000003
【図２】
2016028869.tif 000004
【図３】
2016028869.tif 000005
【図４】
2016028869.tif 000006
【図５】
2016028869.tif 000007
【図６】
2016028869.tif 000008